(57)【要約】  【課題】構成を複雑にし過ぎずに、障害物の有無に関係なく、迅速に各通知装置からの通知情報を収集装置で正常に受信し、各照明装置の所定状態をより正確に把握する。  【解決手段】照明装置２の正常／異常状態の検出をする不点検出部３１、微弱電波等で通信をする通信部３２、これを介して通知要求を受信すれば、識別情報、検出結果情報をこれら両誤り制御情報とともに通知情報として送信する通知処理部３０２によりなる通知装置３と、微弱電波等で通信をする通信部６２、これを介して各誤り制御情報により識別情報、検出結果情報が正常に受信されるまで通知要求を送信して通知情報を受信する受信処理部６０１、通知情報から識別情報、検出結果情報を取得する情報取得処理部６０２によりなる収集装置６とを含む。受信処理部６０１は、各誤り制御情報のいずれかにより識別情報、検出結果情報のいずれかが正常に受信されなかった時に通知要求を送信する。【選択図】図１
2005243316.tif 000002
【特許請求の範囲】
【請求項１】
複数の照明装置とともにそれぞれ分散配置される複数の通知装置と、移動体に具備される収集装置とにより構成される照明用通信システムであって、
前記通知装置は、自己とともに分散配置される照明装置の所定状態の検出をする検出手段と、自己が配置される付近に通信可能エリアが制限される無線通信方式で通信をする通信手段と、この通信手段を介して、通知要求を受信すれば、自己の識別情報および前記検出によって得られる検出結果情報をこれら双方に対して個々に設けられる両誤り制御情報とともに通知情報として送信する通知処理手段とを備え、
前記収集装置は、前記無線通信方式で通信をする通信手段と、この通信手段を介して、少なくとも前記両誤り制御情報により前記識別情報および前記検出結果情報が正常に受信されるまで、前記通知要求を送信することにより前記通知情報を受信する受信処理手段と、この受信処理手段で受信された通知情報から識別情報および検出結果情報を取得する情報取得処理手段とを備え、
前記収集装置の受信処理手段は、少なくとも前記両誤り制御情報のいずれかにより前記識別情報および前記検出結果情報のいずれかが正常に受信されなかったことが判明した時点で、前記通知要求を送信する
ことを特徴とする照明用通信システム。
【請求項２】
前記両誤り制御情報は、互いに相違するビット数の情報からなることを特徴とする請求項１記載の照明用通信システム。
【請求項３】
前記通知装置を親機として子機に対応付けられ照明装置とともに分散配置される副通知装置を備え、
この副通知装置は、自己とともに分散配置される照明装置の所定状態の検出をする検出手段と、前記無線通信方式で通信をする通信手段と、この通信手段を介して、自己の検出手段の検出によって得られる検出結果情報を自己に対応付けられる通知装置に送信する通信処理手段とを備え、
前記通知装置は、自己の通知処理手段が、自己の通信手段を介して受信された、自己の子機に対応付けられる前記副通知装置からの検出結果情報を、自己の通信手段を介して送信される前記通知情報に含める
ことを特徴とする請求項１または２記載の照明用通信システム。
【発明の詳細な説明】
【技術分野】
【０００１】
本発明は、複数の照明装置とともにそれぞれ分散配置される複数の通知装置と、移動体に具備される収集装置とにより構成され、通知装置から照明装置の所定状態（例えば異常有無）の情報を収集装置に送信する照明用通信システムに関するものである。
【背景技術】
【０００２】
従来、照明灯柱には、光源および明るさセンサを含む照明装置が設けられ、この照明装置は、明るさセンサで周囲の明るさの検出をし、周囲の明るさが所定基準の明るさよりも暗くなったときに光源を点灯させ、周囲の明るさが所定基準の明るさよりも明るくなったときに光源を消灯させるようになっている。
【０００３】
この種の照明灯柱では、周囲の明るい昼間には光源が点灯しないため、光源が寿命等で不点の異常状態になっているか否かの確認は、光源が点灯する夜間に行わなければならない。このように夜間に点検をすることは、人件費や作業性などの問題があるため、照明装置とともに通知装置を設け、巡回車に収集装置を搭載し、通知装置から照明装置の異常有無の情報を収集装置に送信するシステムが各種提案されている。
【０００４】
例えば、照明灯柱に照明装置とともに設けられる通知装置から、その照明装置の異常有無の情報を赤外線で収集装置に送信するシステムが提案されている。
【０００５】
また、特許文献１，２には、照明灯柱に設けられる通知装置（微弱電波送信機）から、所定状態の情報（不点状態の監視情報、照明灯動作情報）を微弱電波で収集装置（巡回監視車、情報収集巡回車）に送信するシステムが開示されている。
【０００６】
なお、特許文献３には、ビット同期信号、フレーム同期信号、呼出信号、アドレスコード（送信局アドレス、宛先アドレス）、制御信号コード、エラーチェックコードからなるフレームを用いて通信をする道路設備機器監視システムが記載されている。
【特許文献１】特開２００２−３２４６８６号公報
【特許文献２】特開２００２−３２４６８７号公報
【特許文献３】特開平０７−０７６８０９号公報
【発明の開示】
【発明が解決しようとする課題】
【０００７】
しかしながら、異常有無の情報を赤外線で送信する上記従来のシステムでは、通知装置と収集装置との間に路上駐車等による障害物があった場合に、通知装置から照明装置の異常有無の情報を赤外線で収集装置に送信することができない。また、通信が通知装置から収集装置への一方向となるため、通信の確認ができない問題もある。
【０００８】
一方、特許文献１，２のシステムでは、障害物の有無に関係なく、各通知装置（微弱電波送信機）からの通知情報（監視情報、照明灯動作情報）を収集装置（巡回監視車、情報収集巡回車）で受信することができるものの、通知装置から通知情報を微弱電波で収集装置に単向送信するだけであるので、通知情報に誤りがあった場合に各照明装置の状態を正確に把握することができなくなるという問題がある。
【０００９】
この問題を解決するべく、複数の周波数を利用したり、微弱電波以外の電波を使用したりして、信頼性の高い通信を確保しようとすれば、高速な通信を行なうシステムの導入が必要になるなど、装置も複雑になってしまう。
【００１０】
本発明は、上記事情に鑑みてなされたものであり、構成を複雑にし過ぎずに、障害物の有無に関係なく、しかも迅速に各通知装置からの通知情報を収集装置で正常に受信することが可能となり、各照明装置の所定状態をより正確に把握することが可能となる照明用通信システムを提供することを目的とする。
【課題を解決するための手段】
【００１１】
上記課題を解決するための請求項１記載の発明は、複数の照明装置とともにそれぞれ分散配置される複数の通知装置と、移動体に具備される収集装置とにより構成される照明用通信システムであって、前記通知装置は、自己とともに分散配置される照明装置の所定状態の検出をする検出手段と、自己が配置される付近に通信可能エリアが制限される無線通信方式で通信をする通信手段と、この通信手段を介して、通知要求を受信すれば、自己の識別情報および前記検出によって得られる検出結果情報をこれら双方に対して個々に設けられる両誤り制御情報とともに通知情報として送信する通知処理手段とを備え、前記収集装置は、前記無線通信方式で通信をする通信手段と、この通信手段を介して、少なくとも前記両誤り制御情報により前記識別情報および前記検出結果情報が正常に受信されるまで、前記通知要求を送信することにより前記通知情報を受信する受信処理手段と、この受信処理手段で受信された通知情報から識別情報および検出結果情報を取得する情報取得処理手段とを備え、前記収集装置の受信処理手段は、少なくとも前記両誤り制御情報のいずれかにより前記識別情報および前記検出結果情報のいずれかが正常に受信されなかったことが判明した時点で、前記通知要求を送信することを特徴とする。
【００１２】
この構成では、分散配置される複数の通知装置の各通信可能エリアを通過するように移動体が巡回していくことにより、障害物の有無に関係なく、各通知装置からの通知情報を収集装置で受信することができる。また、収集装置が、少なくとも両誤り制御情報により識別情報および検出結果情報が正常に受信されるまで、通知要求を送信することにより通知情報を受信し、この通知情報から識別情報および検出結果情報を取得するので、各照明装置の所定状態をより正確に把握することができる。しかも、少なくとも両誤り制御情報のいずれかにより識別情報および検出結果情報のいずれかが正常に受信されなかったことが判明した時点で、収集装置から通知要求が送信されるので、その通知要求を受信した通知装置が通知情報を迅速に再度送信することができ、収集装置が誤り制御情報にて正常受信となる通知情報を迅速に受信することが可能となる。
【００１３】
請求項２記載の発明は、請求項１記載の照明用通信システムにおいて、前記両誤り制御情報は、互いに相違するビット数の情報からなることを特徴とする。この構成では、本照明用通信システムの運用に合わせて、通知情報のビット数が大きくなり過ぎないように、両誤り制御能力を好適に設定することができる。
【００１４】
請求項３記載の発明は、請求項１または２記載の照明用通信システムにおいて、前記通知装置を親機として子機に対応付けられ照明装置とともに分散配置される副通知装置を備え、この副通知装置は、自己とともに分散配置される照明装置の所定状態の検出をする検出手段と、前記無線通信方式で通信をする通信手段と、この通信手段を介して、自己の検出手段の検出によって得られる検出結果情報を自己に対応付けられる通知装置に送信する通信処理手段とを備え、前記通知装置は、自己の通知処理手段が、自己の通信手段を介して受信された、自己の子機に対応付けられる前記副通知装置からの検出結果情報を、自己の通信手段を介して送信される前記通知情報に含めることを特徴とする。この構成でも、各照明装置の所定状態をより正確に把握することができる。しかも、親機としての通知装置の巡回経路上の両側に副通知装置を分散配置することにより、親機としての各通知装置と収集装置との通信の回数を減らし、その通信時間を長くすることができるほか、混信を防止可能となるので、通信の信頼性を向上させることができる。
【発明の効果】
【００１５】
本発明によれば、構成を複雑にし過ぎずに、障害物の有無に関係なく、しかも迅速に各通知装置からの通知情報を収集装置で正常に受信することが可能となり、各照明装置の所定状態をより正確に把握することが可能となる。
【発明を実施するための最良の形態】
【００１６】
（実施形態１）
図１は本発明による実施形態１の照明用通信システムの構成図、図２は同照明用通信システムの使用例を示す図、図３は同照明用通信システムの通知装置が送信する電波のフレーム構成図である。
【００１７】
本実施形態１の照明用通信システムは、図１，図２に示すように、街路灯などの複数の照明灯柱１に設けられる複数の照明装置２とともにそれぞれ分散配置される複数の通知装置３と、移動体としての巡回車５に具備される収集装置６とにより構成される。
【００１８】
照明装置２は、図１（ａ）に示すように、照明灯柱１に設けられる照明灯としての光源２１と、交流電源ＡＣの交流電力から光源２１用の電力を生成して光源２１に供給する例えばインバータなどの点灯装置２２とにより構成される。
【００１９】
通知装置３は、照明装置２の光源２１および点灯装置２２間に介設される不点検出部３１と、図示しないアンテナを含む通信部３２と、これら不点検出部３１および通信部３２と接続される制御装置３０とにより構成されている。
【００２０】
不点検出部３１は、自己とともに分散配置される照明装置２の正常／異常状態の検出をするものであり、例えば、点灯装置２２の点灯動作時（例えば、図示しない明るさセンサにより検出された周囲の明るさが所定基準の明るさよりも暗くなった時）にカレントトランスなどで光源２１を流れる電流（ランプ電流）の有無を検出することにより、照明装置２の正常／異常状態の検出をするように構成される。つまり、点灯装置２２の点灯動作時に、ランプ電流が流れれば照明装置２が正常状態にあると検出され、ランプ電流が流れなければ照明装置２が異常（不点）状態にあると検出される。なお、不点検出部３１は、カレントトランスに限らず、点灯装置２２の点灯動作時に、例えば明るさセンサなどで光源２１自体が点灯しているか否かを検出する構成でもよい。
【００２１】
通信部３２は、自己が配置される付近に通信可能エリアが制限される無線通信方式で通信（送受信）をするものであり、例えば、微弱無線または小電力無線（特定小電力無線、小電力データ通信システム等）を使用するように構成される。なお、微弱無線は、電波法第４条第１号に規定され、小電力無線は同条第３号に規定されている。
【００２２】
制御装置３０は、例えばマイコン（マイクロコンピュータ）およびプログラムなどにより構成され、本通知装置３全般の制御などの処理を実行するものであり、記憶部３０１を備えているほか、通知処理部３０２などの各処理機能を有している。
【００２３】
記憶部３０１は、例えばＲＯＭ、ＲＡＭ、ＥＥＰＲＯＭなどの半導体記憶装置により構成され、予め割り当てられた自己の識別情報を記憶しているほか、不点検出部３１の検出によって得られ上記通知情報に含められる検出結果情報などを記憶する。
【００２４】
通知処理部３０２は、上記マイコンおよびプログラムにより構成され、通信部３２を介して、通知要求を受信すれば自己の識別情報および不点検出部３１の検出によって得られる検出結果情報を通知情報として送信する処理を実行する。本実施形態１では、図２，図３（ａ）の例に示すように、通信部３２を介して、通知要求（図２では「データ要求」）を受信すれば、記憶部３０１に記憶されている識別情報（図３（ａ）では「照明柱ＩＤ」に含まれる）および検出結果情報（同図では「データ」に含まれる）をそれらの誤り制御情報（同図では「ＣＲＣ」）とともに通知情報（同図では「フレーム」）として送信するように構成される。そして、本実施形態１の特徴として、図３（ｂ），（ｃ）の例に示すように、識別情報（図３（ｂ）の「親照明柱ＩＤ」）および検出結果情報（図３（ｃ）の「データ」）に対して、両誤り制御情報が個々に近接して設けられる。３６ビットの識別情報に対しては、本来のＣＲＣの１６ビットよりも少ない４ビットの誤り制御情報が設けられて４０ビットの照明柱ＩＤを構成し、１４ビットの検出結果情報に対しては、さらに少ない２ビットの誤り制御情報が設けられて１６ビットのデータを構成している。また、通信部３２を介して、通知情報を送信した後にその通知情報の受信完了を示す確認コマンドを受信すれば、少なくとも巡回中の巡回車５に搭載される収集装置５からの通知要求を通信部３２で受信することができなくなるまでの時間、通知要求を無視するようになっている。なお、図３（ａ）では、同期ビットなどのその他データは図示省略されている。
【００２５】
なお、夜間に巡回する場合には、必ずしも検出結果情報を記憶部３０１に記憶する必要がないので、通知処理部３０２は、通信部３２を介して、通知要求を受信したときに、少なくとも、記憶部３０１に記憶されている識別情報、および不点検出部３１の検出によって得られる検出結果情報を、これら双方に対して個々に設けられる両誤り制御情報とともに通知情報として通知情報として送信する構成であってもよい。
【００２６】
収集装置６は、巡回車５に搭載されるものであり、図１（ｂ）に示すように、ハードディスク装置または記憶部３０１と同様の半導体記憶装置などにより構成される記憶装置６１と、図示しないアンテナを含み通信部３２と同様の無線通信方式で通信（送受信）をする通信部６２とを備えているほか、制御装置６０を備えている。ただし、通信部３２の送信部は微弱電波でも小電力無線でもよいが、その場合、通信部６２の受信部は通信部３２からの電波を受信するべく微弱電波または小電力無線を受信する構成となる。同様に、通信部６２の送信部は微弱電波でも小電力無線でもよいが、その場合、通信部３２の受信部は微弱電波または小電力無線を受信する構成となる。
【００２７】
この制御装置６０は、例えばマイコンおよびプログラムなどにより構成され、本通知装置６全般の制御などの処理を実行するものであり、受信処理部６０１および情報取得処理部６０２などの各処理機能を有している。
【００２８】
受信処理部６０１は、通信部６２を介して、上記各誤り制御情報により識別情報および検出結果情報が正常に受信されるまで、最大で所定の複数回数（例えば３回）、上記通知要求を送信することにより通知装置３から通知情報を受信して記憶装置６１に記憶する処理を実行する。このとき、各誤り制御情報のいずれかにより識別情報および検出結果情報のいずれかが正常に受信されなかったことが判明した時点で、通知要求を送信する処理が実行される。
【００２９】
また、受信処理部６０１は、各誤り制御情報により識別情報および検出結果情報が正常に受信されれば、通信部６２を介して確認コマンドを送信する処理を実行する。さらに、起動後または確認コマンドの送信後、通知装置３から返信があるまで通知要求を所定時間単位で繰り返し送信する処理が実行される。
【００３０】
情報取得処理部６０２は、受信処理部６０１で受信された通知情報から、識別情報および検出結果情報を取得する処理を実行する。
【００３１】
次に本照明用通信システムの動作について説明する。図２の例に示すように、位置Ｐ１側から位置Ｐ５側に巡回していく巡回車５に搭載された収集装置６から、通知要求が繰り返し送信される。この後、巡回車５が位置Ｐ２に到達したときに、収集装置６から送信された通知要求（データ要求）が照明灯柱１（１Ａ）の通知装置３によって受信されると、その通知装置３から収集装置６に、識別情報（照明柱ＩＤ）、検出結果情報（データ）および誤り制御情報（ＣＲＣ）を含む通知情報が返信される。
【００３２】
この通知情報が収集装置６により受信されると、その通知情報の各誤り制御情報により識別情報および検出結果情報が正常に受信されたか否かの誤り制御が実行され、正常に受信されていれば、それら識別情報および検出結果情報が記憶装置６１に記憶されるとともに、確認コマンドが通知装置３に送信され、その通知装置３との通信が終了する。この場合、記憶装置６１に記憶された上記通知情報から、識別情報および検出結果情報が取得されることになる。
【００３３】
一方、各誤り制御情報のいずれかにより識別情報および検出結果情報のいずれかが正常に受信されなかったことが判明した時、この時点で収集装置６から通知装置３に通知要求が再度送信される。つまり、図３（ｂ）のＣＲＣにより正常に受信されなかったことが判明した時点、図３（ｃ）のＣＲＣにより正常に受信されなかったことが判明した時点、または図３（ａ）のＣＲＣにより正常に受信されなかったことが判明した時点で、通知要求が再度送信される。そして、その通知要求が照明灯柱１（１Ａ）の通知装置３によって再度受信された時点で、その通知装置３から収集装置６に、識別情報、検出結果情報および誤り制御情報を含む通知情報が再度返信される。
【００３４】
この後、通知情報が収集装置６により受信されると、その通知情報の各誤り制御情報により識別情報および検出結果情報が正常に受信されたか否かの誤り制御が実行され、正常に受信されていれば、それら識別情報および検出結果情報が記憶装置６１に記憶されるとともに、確認コマンドが通知装置３に送信され、通知装置３との通信が終了する一方、各誤り制御情報のいずれかにより識別情報および検出結果情報のいずれかが正常に受信されなかったことが判明した時、その時点で収集装置６から通知装置３に通知要求が再度送信される。このような通知要求の送信は、最大で３回実行される。また、それ以降の照明灯柱１（１Ｂ）の通知装置３等と収集装置６との通信も、上記と同様にして行われる。
【００３５】
以上、本実施形態１によれば、分散配置される複数の通知装置３の各通信可能エリアを通過するように巡回車５が巡回していくことにより、障害物の有無に関係なく、各通知装置３からの通知情報を収集装置６で受信することができる。また、収集装置６が、各誤り制御情報により識別情報および検出結果情報が正常に受信されるまで、通知要求を送信することにより通知情報を受信し、この通知情報から識別情報および検出結果情報を取得するので、各照明装置２の所定状態をより正確に把握することができる。しかも、各誤り制御情報のいずれかにより識別情報および検出結果情報のいずれかが正常に受信されなかったことが判明した時点で、収集装置６から通知要求が送信されるので、その通知要求を受信した通知装置３が通知情報を迅速に再度送信することができ、収集装置６が誤り制御情報にて正常受信となる通知情報を迅速に受信することが可能となる。
【００３６】
また、各誤り制御情報が互いに相違するビット数の情報からなるので、本照明用通信システムの運用に合わせて、通知情報のビット数が大きくなり過ぎないように、各誤り制御能力を好適に設定することができる。本実施形態１では、図３（ａ）の元々のＣＲＣに比較して、図３（ｂ），（ｃ）の各ビット数を少なくし、これら両者のうち、収集場所に狂いが生じ難くなるように、識別情報に対する誤り制御情報のビット数を多くしている。
【００３７】
なお、本実施形態１では、照明装置２の光源２１および点灯装置２２間に不点検出部３１が介設される構成になっているが、これに限らず、図４に示すように、交流電源ＡＣおよび点灯装置２２間に不点検出部３１が介設される構成でもよい。このような構成にすることによって、光源２１の異常だけでなく、点灯装置２２の異常をも検出することができる。
【００３８】
また、本実施形態１では、所定の複数回数として３回を例示したが、３回に限らず、２回でもまた４回以上でもよいことは言うまでもない。また、一の通知装置３との通信を最大何回の通知要求で断念するかは、通信可能エリアおよび巡回車５の移動速度などで決定すればよい。
【００３９】
さらに、誤り制御情報は、ＣＲＣ方式のものに限らず、パリティチェック方式、ハミング符号方式のものなどでもよい。
【００４０】
（実施形態２）
図５は本発明による実施形態２の照明用通信システムの使用例を示す図、図６は同照明用通信システムで使用される電波のフレーム構成図である。
【００４１】
本実施形態２の照明用通信システムは、実施形態１との相違点として、図５に示すように、通知装置３を親機として子機に対応付けられ照明装置２とともに分散配置される副通知装置４を備えることを特徴とする。
【００４２】
図５の例では、照明灯柱１Ａに設けられる通知装置３に対して、照明灯柱１A1〜１A4にそれぞれ設けられる複数の副通知装置４〜４が子機として対応付けられる。同様に、照明灯柱１Ｂ，…に設けられる通知装置３，…に対しても、照明灯柱１B1〜１B4，…に設けられる複数の副通知装置４〜４，…が子機として対応付けられる。
【００４３】
副通知装置４は、通知装置３と同様に（図１，図４参照）、自己とともに分散配置される照明装置２の所定状態の検出をする不点検出部と、上述の無線通信方式で通信をする通信部とを備えているほか、通知装置３との相違点として、予め設定された時刻または点灯装置２２の点灯動作時などで、自己の通信部を介して、自己の不点検出部の検出によって得られる検出結果情報を自己に対応付けられた通知装置３に送信する通信処理部を備えている。
【００４４】
本実施形態２の通知装置３は、実施形態１との相違点として、図６に示すように、自己の通知処理部３０２が、自己の通信部３２を介して受信された、自己の子機に対応付けられる各副通知装置４からの検出結果情報（「データ子１」、「データ子２」、「データ子３」、「データ子４」）を、自己の通信部３２を介して送信される上述の通知情報に含めるように構成される。要するに、本実施形態２の通知情報には、通知装置３の識別情報、通知装置３の検出結果情報、各副通知装置４からの検出結果情報、誤り制御情報（「ＣＲＣ」）が含まれる。そして、通知装置３の識別情報（親照明柱ＩＤ）は、実施形態１と同様に誤り制御情報が設けられて照明柱ＩＤを構成し、通知装置３の検出結果情報は、実施形態１と同様に誤り制御情報が設けられてデータ親を構成し、副通知装置４〜４からの検出結果情報は、例えば実施形態１のデータ（図３（ｃ）参照）と同様に、誤り制御情報が設けられてデータ子１〜４を構成する。各副通知装置４の検出結果情報は、通知装置３の記憶部３０１に記憶される。
【００４５】
なお、図５の例では、１台の通知装置３に対して、その両側に４台の副通知装置４が配置される構成になっているが、１台の通知装置３に対する副通知装置４の台数は、通信可能エリア、照明灯柱１の間隔によって適宜調整すればよい。
【００４６】
以上、本実施形態２によっても、各照明装置２の所定状態をより正確に把握することが可能となる。しかも、親機としての通知装置３の巡回経路上の両側に副通知装置４を分散配置することにより、親機としての各通知装置３と収集装置６との通信の回数を減らし、その通信時間を長くすることができるほか、混信を防止可能となるので、通信の信頼性を向上させることができる。また、各通知装置３と収集装置６との通信を好適に分離することができる。
【００４７】
なお、実施形態２では、各副通知装置４からの検出結果情報が、この誤り制御情報とともに、通信部３２を介して送信される通知情報に含められる構成になっているが、これに限らず、各副通知装置４からのこの識別情報および検出結果情報が、これら双方に対して個々に設けられる両誤り制御情報とともに、通信部３２を介して送信される通知情報に含められる構成でもよい。この構成によれば、副通知装置４の識別情報により、異常状態の照明装置２を特定することが可能となる。
【００４８】
また、通知装置３および副通知装置４を共通に構成し、スイッチなどで、親機としての通知装置または子機としての副通知装置のいずれかに切り替えられるようにしてもよい。この場合、親機が故障しても、応急措置として、他の子機を親機に切り替えることができる。
【００４９】
さらに、上記各実施形態では、収集装置６は移動体としての巡回車５に搭載される構成になっているが、本発明の収集装置は、巡回車に搭載される構成に限らず、携帯式の構成であってもよい。
【図面の簡単な説明】
【００５０】
【図１】本発明による実施形態１の照明用通信システムの構成図である。
【図２】同照明用通信システムの使用例を示す図である。
【図３】同照明用通信システムの通知装置が送信する電波のフレーム構成図である。
【図４】実施形態１の変形例を示す図である。
【図５】本発明による実施形態２の照明用通信システムの使用例を示す図である。
【図６】同照明用通信システムで使用される電波のフレーム構成図である。
【符号の説明】
【００５１】
１  照明灯柱
２  照明装置
２１  光源
２２  点灯装置
３  通知装置
３０  制御装置
３０１  記憶部
３０２  通知処理部
３１  不点検出部
３２  通信部
４  副通知装置
５  巡回車
６  収集装置
６０  制御装置
６０１  受信処理部
６０２  情報取得処理部
６１  記憶装置
６２  通信部
【図１】
2005243316.tif 000003
【図２】
2005243316.tif 000004
【図３】
2005243316.tif 000005
【図４】
2005243316.tif 000006
【図５】
2005243316.tif 000007
【図６】
2005243316.tif 000008